(57)【要約】【課題】極めて簡単かつ容易な構造で、衛生面に優れ、かつ飼い主の負担を軽減できる猫用便器を提供する。【解決手段】底部（４０）と側壁部（３０）を備えた便器本体（２０）の前記側壁部の一側に流水管（Ｐ１）に接続されて洗い流し水を底部に噴出する噴出口（３５）を有し、前記噴出口と他側の底部には排水管（Ｐ２）に接続されて底部の汚物を洗い流し水とともに排出するトラップ部（４５）を有する猫用便器（１０）であって、前記底部には猫が着座することができる十分な広さの座面部（４１）を有するとともに、前記座面部は前記噴出口側からトラップ部に向けて下降する傾斜面（４２）によって形成されており、前記傾斜面（４２）の傾斜角度（α）が水平面に対して２〜１０度である場合がある。【選択図】図１
0003115314.tif 000002
【実用新案登録請求の範囲】
【請求項１】
底部（４０）と側壁部（３０）を備えた便器本体（２０）の前記側壁部の一側に流水管（Ｐ１）に接続されて洗い流し水を底部に噴出する噴出口（３５）を有し、前記噴出口と他側の底部には排水管（Ｐ２）に接続されて底部の汚物を洗い流し水とともに排出するトラップ部（４５）を有する猫用便器（１０）であって、
前記底部には猫が着座することができる十分な広さの座面部（４１）を有するとともに、前記座面部は前記噴出口側からトラップ部に向けて下降する傾斜面（４２）によって形成されていることを特徴とする猫用便器。
【請求項２】
前記傾斜面（４２）の傾斜角度（α）が水平面に対して２〜１０度である請求項１に記載の猫用便器。
【請求項３】
前記座面部（４１）に前記噴出口側からトラップ部側に延びるリブ部（４３）が形成されている請求項１又は２に記載の猫用便器。
【請求項４】
前記猫用便器本体（２０）が床面に配置された載置台（Ｄ）に保持されている請求項１ないし３のいずれか１項に記載の猫用便器。
【請求項５】
前記載置台（Ｄ）の高さ（Ｈ）が床面より約５０ｃｍである請求項４に記載の猫用便器。
【考案の詳細な説明】
【技術分野】
【０００１】
本考案は、ペットとして飼育する猫用の便器に関し、特に猫の排泄物処理やトイレ掃除などの飼い主の負担を軽減することができる猫用便器に関する。
【背景技術】
【０００２】
ペットとして飼育されている猫は、しつけをすることによって、人間と共生する室内で猫用のトイレに尿や便などを排泄するようになる。この猫用のトイレとしては、上方が開放されたプラスチック製の容器に、例えばゼオライト、川の砂、ベントナイトなどのいわゆる猫砂を敷いたものが使用されることが多い。このようなトイレ用の容器は密閉されているわけではないので、猫が尿や便を排泄した後に、そのまま放置しておくと、悪臭が室内に充満し、衛生的にも問題が生じる。従って、猫が尿や便を排泄する度に、猫の排泄物の後始末を飼い主が行わなければならず、非常に煩雑である。
【０００３】
そこで、動物の尿を吸収するための吸液シートをトイレ容器内に備えた動物用トイレが提案されている（例えば、特開平１０−２２９７６８号公報）。この動物用トイレは、底部が液透過構造のシートとなっている容器に撥水性の粒状物を入れ、この容器の底部シートの下には支持体に支持された吸液シートが前記底部シートに密着して設けられ、尿は撥水性の粒状物を通り容器の底部を通過して吸液シートに吸収される構造である。この動物用トイレに猫などの動物が尿をすれば、吸液シートが水分を吸収するので、猫の排尿の度に容器内の尿を処理する必要がないという利点がある。
【０００４】
しかしながら、吸液シートは水分吸収量に限界があるため、猫の尿の量が多くなり、水分の吸収量が増加すると、猫砂に尿が逆戻りしてしまい、砂全体を尿で汚してしまうおそれがある。そのため、吸液シートを定期的に交換する必要があり、加えて、猫が排便をした場合は、吸液シートでは固形物は吸収できないため、その都度、飼い主が後始末をしなければならず、極めて面倒である。
【０００５】
また、ペットの排泄物の後始末の負担を軽減するためのペットのトイレが提案されている（例えば、特開２００４−５７１８２公報参照）。このトイレは、人間用水洗トイレのいわゆる洋式便器の本体に、ペットの排泄物が洋式便器内に落下するように、開口部を設けたプラスチック製又は金属製のペット用トイレを乗せるものである。このペット用トイレであれば、ペットが尿や便を排泄した後に、水洗することができ、後始末が簡単であるという利点がある。
【０００６】
しかし、実際には、人間がトイレを使う度に、ペット用トイレを取り外し、用が済んだら再びペット用トイレを取り付けなければならず、非常に煩雑である。また、ペット用トイレの開口部から人間用便器に便が落下するように、猫が上手にペット用トイレの開口部の位置に排泄することは困難である。さらに、人間用の便器に乗せるだけのペット用トイレでは、猫が乗ったときにぐらついて極めて不安定であり、猫本来の性格が非常に神経質であるため、猫が排泄できないおそれがある。
【考案の開示】
【考案が解決しようとする課題】
【０００７】
従って、本考案は、前記の問題点を鑑みてなされたものであり、極めて簡単かつ容易な構造で、衛生面に優れ、かつ飼い主の負担を軽減できる猫用便器を提供するものである。
【課題を解決するための手段】
【０００８】
すなわち、請求項１の考案は、底部（４０）と側壁部（３０）を備えた便器本体（２０）の前記側壁部の一側に流水管（Ｐ１）に接続されて洗い流し水を底部に噴出する噴出口（３５）を有し、前記噴出口と他側の底部には排水管（Ｐ２）に接続されて底部の汚物を洗い流し水とともに排出するトラップ部（４５）を有する猫用便器（１０）であって、前記底部には猫が着座することができる十分な広さの座面部（４１）を有するとともに、前記座面部は前記噴出口側からトラップ部に向けて下降する傾斜面（４２）によって形成されていることを特徴とする猫用便器に係る。
【０００９】
請求項２の考案は、前記傾斜面（４２）の傾斜角度（α）が水平面に対して２〜１０度である請求項１に記載の猫用便器に係る。
【００１０】
請求項３の考案は、前記座面部（４１）に前記噴出口側からトラップ部側に延びるリブ部（４３）が形成されている請求項１又は２に記載の猫用便器に係る。
【００１１】
請求項４の考案は、前記猫用便器本体（２０）が床面に配置された載置台（Ｄ）に保持されている請求項１ないし３のいずれか１項に記載の猫用便器に係る。
【００１２】
請求項５の考案は、前記載置台（Ｄ）の高さ（Ｈ）が床面より約５０ｃｍである請求項４に記載の猫用便器に係る。
【考案の効果】
【００１３】
請求項１の考案に係る猫用便器は、前記底部には猫が着座することができる十分な広さの座面部（４１）を有するとともに、前記座面部は前記噴出口側からトラップ部に向けて下降する傾斜面（４２）によって形成されているものであるから、極めて簡単かつ容易な構造で、衛生面に優れ、飼い主の負担も軽減できる。
【００１４】
請求項２の考案にあっては、請求項１に記載の猫用便器において、前記傾斜面（４２）の傾斜角度（α）が水平面に対して２〜１０度であるため、猫が安定した姿勢で排泄することができ、底部の汚物を洗い流し水とともに、スムーズに排出できる。
【００１５】
請求項３の考案にあっては、請求項１又は２に記載の猫用便器において、前記座面部（４１）に前記噴出口側からトラップ部側に延びるリブ部（４３）が形成されているので、尿を排泄したときに、猫の足や手が汚れにくい。
【００１６】
請求項４の考案にあっては、請求項１ないし３のいずれか１項に記載の猫用便器において、前記猫用便器本体（２０）が床面に配置された載置台（Ｄ）に保持されているので、猫用便器本体の設置が容易に行えるほか、誤って便器内に落下しにくいので安全である。
【００１７】
請求項５の考案にあっては、請求項４に記載の猫用便器において、前記載置台（Ｄ）の高さ（Ｈ）が床面より約５０ｃｍであるので、猫用便器本体の設置が極めて容易に行えるほか、誤って便器内に落下するのを確実に防止することができる。
【考案を実施するための最良の形態】
【００１８】
以下添付の図面に従って、この考案を詳細に説明する。図１は本考案の一実施例を示す斜視図、図２はその平面図、図３はその断面図、図４は本考案の別例を示す斜視図、図５はその断面図、図６は載置台に保持された状態を示す断面図である。
【００１９】
請求項１の考案として規定し、図１及び図２に示すように、猫用便器１０は、底部４０と側壁部３０を備えた便器本体２０の前記側壁部の一側に流水管Ｐ１に接続されて洗い流し水を底部に噴出する噴出口３５を有し、前記噴出口と他側の底部には排水管Ｐ２に接続されて底部の汚物を洗い流し水とともに排出するトラップ部４５を有する猫用便器１０であって、前記底部には猫が着座することができる十分な広さの座面部４１を有するとともに、前記座面部は前記噴出口側からトラップ部に向けて下降する傾斜面４２によって形成されていることを特徴とする。
【００２０】
猫用便器本体２０は、図１及び図２に示すように、底部４０と側壁部３０を備えている。便器本体２０の大きさや形状には、特に限定はないが、底部４０は猫が着座することができる十分な広さの座面部４１を有しており、猫の大きさを考慮して排泄しやすい大きさとすることが必要である。例えば、図２に示すように、便器本体２０と座面部４１の形状を略長方形とした場合、体重が１０ｋｇ程度の猫が底部に着座して排泄するための座面部の大きさとしては、長手方向の一辺の長さが約４５０ｍｍ、他側の辺の長さが約３２０ｍｍ程度の大きさとすることができ、この場合の便器本体２０の大きさは、長手方向の一辺の長さが約７００ｍｍ、他側の辺の長さが約５００ｍｍ程度の大きさとすることが好ましい。また、便器本体２０の材質は、特に限られず、陶器やプラスチック樹脂などを用いることができるが、軽量で機械的強度が高く、耐食性、成形性に優れているガラス繊維強化プラスチックを用いることが望ましい。
【００２１】
前記座面部４１は、前記噴出口３５側からトラップ部４５に向けて下降する傾斜面４２によって形成されており、請求項２の考案として規定し、図３に示すように、前記傾斜面４２の傾斜角度αは、水平面に対して２〜１０度であることが望ましい。傾斜面４２の勾配が大き過ぎると安定性が悪いため、猫が座面部４１に乗って排泄することができず、また、傾斜面４２の勾配が無いと、猫が排泄した汚物と噴出口３５から噴出する水がトラップ部４５にうまく排出されないおそれがあるためである。
【００２２】
さらに、前記座面部４１には、請求項３の考案として規定し、図４及び図５に示すように、前記噴出口３５側からトラップ部４５側に延びるリブ部４３が形成されることが好ましい。リブ部４３によって凹凸面が形成され、リブ部４３の凸面上に猫が乗って排泄することにより、排泄した尿が凹溝に流れて、猫の手や足が汚れにくいという効果が期待できる。さらに、形成されたリブ部４３に沿って、噴出口３５から噴出する水と猫の汚物がスムーズにトラップ部４５へ排出することも予想される。従って、リブ部４３の大きさは、猫が安定して手や足を乗せることができる大きさが好ましく、例えば、幅は約２０ｍｍで高さは約３ｍｍのリブ部を設けることも可能である。なお、リブ部４３は便器本体２０と一体的に成形してもよく、あるいは、リブ部４３が形成された座面部４１を後で便器本体底部４０に取り付けるようにしてもよい。
【００２３】
また、前記座面部４１には、図１に示すような、公知の水洗トイレに流せる猫砂６０を敷いて用いることができる。猫の排泄物を猫砂６０とともに噴出口３５から噴出する洗い流し水によって排水管Ｐ２に排出することができるので、室内空間に悪臭が充満せずに、非常に衛生的で、飼い主の排泄物の後始末の負担も軽減できる。前記座面部上に敷く猫砂として、水洗トイレに流せる猫砂やシートの代わりに、例えば、トイレットペーパーをシュレッダーにかけた短冊状の紙片等を代用してもよい。猫砂を汚物とともに水でトラップ部に排出した後は、飼い主は座面部４１に猫砂などを敷く必要がある。しかしながら、座面部４１上に敷く猫砂は、必ずしも必要なものではなく、猫が慣れてくれば、座面部上に何も敷かなくても排泄できるようになるため、そのようになれば、座面部４１に猫砂６０などを敷く必要もなくなり、飼い主の負担が一層軽減されることになる。
【００２４】
猫用便器１０は、便器本体２０の前記側壁部３０の一側に流水管Ｐ１に接続されて洗い流し水を底部４０に噴出する噴出口３５を有し、前記噴出口３５と他側の底部４０には排水管Ｐ２に接続されて底部の汚物を洗い流し水とともに排出するトラップ部４５を有している。ここで、トラップ部とは、排水管からの汚臭の逆流を防ぐためのものであり、管の一部を Ｕ字やＳ字などに曲げて、水をためておくものである。実施例ではＰ型のトラップ部４５を用いているが、Ｐ型に限定されるものではなく、Ｕ型やＳ型などのトラップ部を用いても構わない。
【００２５】
猫が座面部４１に尿や便などの排泄をした後に、噴出口３５から噴出する水とともに、排水管Ｐ２へ接続するトラップ部４５へ排出する。噴出口３５から勢いよく洗い流し水が噴出するとともに、座面部４１は前記噴出口３５側からトラップ部４５に向けて下降する傾斜面４２が形成されているので、スムーズに汚物をトラップ部４５へ排出することができる。また、便器本体２０の上方の周縁部２５の付近に通水路を設け、洗い流し水が便器本体２０の上方から側壁部３０を通じて流出するようにしてもよい。このようにすると、便器本体２０の底部４０のみでなく、側壁部３０の汚れも洗い流すことができる。なお、流水管Ｐ１として、公知の塩化ビニール製の円筒パイプを用いたり、円筒パイプの代わりに市販のパッキンを直接用いてもよい。
【００２６】
請求項４の考案として規定し、図６に示すように、猫用便器１０は、本体２０が床面Ｆに配置された載置台Ｄに保持されており、また、請求項５に規定するように、前記載置台Ｄの高さＨが床面より約５０ｃｍであることが望ましい。猫用便器１０の設置に載置台Ｄを用いるので、例えば、床面Ｆを掘り起こしたりするような大掛かりな工事の必要がなく、容易に便器本体２０を設置することができる。また、載置台Ｄに設置することで、猫や人間が誤って便器本体２０内に落下することがなく、非常に安全である。なお、便器本体２０の下方などに、換気扇を設ければ、飼い主が給水レバー５２を引いて水を流すことを忘れるようなことなどがあっても、悪臭が充満することもなく、さらに快適に猫用便器１０を使用することができる。
【００２７】
猫が座面部４１に尿や便などを排泄した後、飼い主が手動で給水レバー５２を引くと、給水タンク５０の本体５１内に溜められている水が給水管Ｐ３と接続されている流水管Ｐ１を通って、流水受け入れ部３６を介して噴出口３５から噴出される。飼い主は給水レバー５２を引くだけで、猫の排泄物の後始末ができるので、非常に簡単であり、なおかつ衛生的である。猫用便器本体２０には、温度や重量を感知するセンサーなどを設けることにより、猫が座面４１から降りたときに水が噴出口３５から自動で噴出するようにしても構わない。しかしながら、飼い主が手動で給水レバー５２を引いて洗い流し水を噴出させる場合、飼い主が猫の排泄物を確認することで、猫の健康状態を把握でき、猫が誤って座面部４１に落下したり、猫のいたずらなどにより洗い流し水が頻繁に噴出してしまうことを防ぐことができる。
【図面の簡単な説明】
【００２８】
【図１】本考案の一実施例を示す斜視図である。
【図２】その平面図である。
【図３】その断面図である。
【図４】本考案の別例を示す斜視図である。
【図５】その断面図である。
【図６】載置台に保持された状態を示す断面図である。
【符号の説明】
【００２９】
１０  猫用便器
２０  便器本体
３０  側壁部
３５  噴出口
４０  底部
４１  座面部
４２  傾斜面
４３  リブ部
４５  トラップ部
Ｐ１  流水管
Ｐ２  排水管
α  傾斜角
Ｈ  高さ
Ｄ  載置台
【図１】
0003115314.tif 000003
【図２】
0003115314.tif 000004
【図３】
0003115314.tif 000005
【図４】
0003115314.tif 000006
【図５】
0003115314.tif 000007
【図６】
0003115314.tif 000008